(57)【要約】【課題】多数登録されたデータを閲覧する際に、ユーザの指示するようにグループ化して一覧表示し、そのグループに関連する別のクループを簡単な操作で次々に表示して、多くのデータをざっと見渡せるようにする。【解決手段】各データに属性を付与し、その属性によってデータをグループ化して一覧表示し、一覧の中からデータを選び出し、そのデータに付与された属性からどれかを選択し、次にその選択された属性で括られるグループの一覧を表示する。【選択図】        図１
2004185340.tif 000002
【特許請求の範囲】
【請求項１】
属性が付与されたデータを格納する手段と、
属性を指定することによりその属性を付与されたデータを該格納手段から抽出する手段と、
該データ抽出手段により抽出されたデータを示すアイコンあるいは文字列等の記号を一覧表示する手段と、
該一覧表示手段からデータを示す記号を指示する手段と、
該記号指示手段により指示された記号に対応するデータに付与された属性の一覧を表示する手段と、
該属性一覧表示手段から属性を指示する手段と、
該属性指示手段により指示された属性を該抽出手段で指定する属性とする手段と、
を持つ事を特徴とするデータ閲覧装置。
【請求項２】
請求項１の、
該属性指示手段が複数の属性を指示することができ、
該データ抽出手段が、それらの属性を全て持つ、あるいは、最低いずれか一つを持つものを抽出すること、
を特徴とするデータ閲覧装置。
【請求項３】
請求項２の該データ抽出手段において、属性を全て持つものを抽出、あるいは、最低いずれか一つを持つものを抽出すると言う二つの動作をユーザが自由に選択できる手段を有する請求項２のデータ閲覧装置。
【請求項４】
請求項１の、
該記号指示手段が、複数の記号を指示することができ、
該属性一覧表示手段が、指示された記号に対応する複数のデータが共通に持つ属性を表示する、あるいは、複数のデータが持つ全ての属性を表示する、
ことを特徴とするデータ閲覧装置。
【請求項５】
請求項４の該属性一覧表示手段において、複数のデータが共通に持つ属性を表示するか、複数のデータが持つ全ての属性を表示するかをユーザが自由に選択できる手段を有する、
請求項４のデータ閲覧装置。
【発明の詳細な説明】
【０００１】
【発明の属する技術分野】
本発明は、文字、画像、音声等の各種のデータを閲覧する装置に関する。
【０００２】
【従来の技術】
従来、文字、画像、音声等の各種のデータを閲覧する装置では、まず各データを示す名前やアイコンの一覧を表示し、その一覧の中から所望のデータのものを選んでその内容を表示、出力する。装置に格納されたデータが多い場合一覧の長さが膨大になってしまい、所望のデータを選ぶことが困難になるが、それを防ぐためにさまざまな手法が考案されている。
【０００３】
例えば、Ａｐｐｌｅ  Ｃｏｍｐｕｔｅｒ社のＭａｃＯＳに付属のＦｉｎｄｅｒやＭｉｃｒｏｓｏｆｔ社のＷｉｎｄｏｗｓ（登録商標）に付属のＥｘｐｌｏｒｅｒ等では、各データをあらかじめディレクトリやフォルダと言う任意の深さの階層構造にまとめて登録し、ディレクトリやフォルダごとの一覧を行なわせている。
【０００４】
さらに、特開２０００−２５０７９８号公報の発明によれば、階層構造をフォルダによって固定化することなく、データに付与された属性とその値と共に属性項目に対する順序付けによって動的に階層構造を構成するというシステムが考案されている。
【０００５】
また、各データに属性やキーワードを関連付け、その値を指定することによってデータを絞り込み、一覧表示するデータの数を減らすと言う手法もたびたび用いられる。
【０００６】
【発明が解決しようとする課題】
しかしながら従来の技術では、フォルダやキーワードによってグループ化したデータを表示した後、そのグループに関連する別のグループを簡単な操作で次々に表示することによって、多くのデータをざっと見渡すと言うことが困難である。
【０００７】
ディレクトリ／フォルダ形式の場合、階層構造を上下することによって別のグループに表示を切替えることができるが、階層構造が固定であるので違った観点でのグループ化と言うのができない。
【０００８】
特開２０００−２５０７９８号公報の発明によれば、ツリー構成テーブルを変えることにより階層構造を柔軟に変更できるが、ツリー構造による表示であるので小さい画面には表示しづらい。
【０００９】
また、キーワードによる検索絞込み表示の場合、次のグループ化を行うには別のキーワードを入力せねばならず手間がかかる。
【００１０】
【課題を解決するための手段】
これらの課題を解決するため、本発明のデータ閲覧装置は、
属性が付与されたデータを格納する手段と、
属性を指定することによりその属性を付与されたデータを該格納手段から抽出する手段と、
該データ抽出手段により抽出されたデータを示すアイコンあるいは文字列等の記号を一覧表示する手段と、
該一覧表示手段からデータを示す記号を指示する手段と、
該記号指示手段により指示された記号に対応するデータに付与された属性の一覧を表示する手段と、
該属性一覧表示手段から属性を指示する手段と、
該属性指示手段により指示された属性を該抽出手段で指定する属性とする手段と、
を持つ。
【００１１】
【発明の実施の形態】
（第１実施形態）
まず、本発明の第１の実施形態を図１〜図９を参照して説明する。
【００１２】
図１は、本実施形態に係るデータ閲覧装置の概略構成を示すブロック図である。同図において、１は装置の中心となり各部の制御を行う中央処理部、２はテキスト、画像、音声、動画など各種のデータを格納し管理するデータベース、３はデータの一覧に表示しているデータのリスト、４はユーザからの入力とユーザへの表示を行うＧＵＩ制御部である。３のデータベースに格納される各々のデータにはキーワードが付いており、データベース３に対してあるキーワードを与えると、そのキーワードを持つデータに対応するエントリを返す。
【００１３】
図２は、データベース３が返すデータエントリの構造を示す図である。２１はテキスト、画像、音声、動画などのデータ本体への参照、２２はデータ一覧に使うアイコンデータへの参照、２３はこのデータに付与されているキーワードの数、２４はキーワードへの参照の配列である。また、２５はデータ本体、２６はアイコンデータ、２７はキーワード文字列の本体であり、それぞれデータベース３内のデータエントリとは別の場所に格納されている。
【００１４】
図３は、ＧＵＩ制御部４が表示したデータの一覧画面を示す図である。３１は一覧のタイトルであり一覧データの絞込みに用いられたキーワードを示す。３２はテキストデータを示すアイコンであり、３３は画像データを示すアイコンである。３４はポインティングデバイスのカーソルであり、それが乗っているアイコン３３は選択状態を示すために枠が太くなっている。３５はデータの一覧が画面に入らなくなった時に画面を上下にスクロールするボタンで、現在は全てのデータが１画面に収まっているため、ボタン操作不可能を示すグレー表示されている。
【００１５】
図４は、図３において、画像アイコン３３の上でポインティングデバイスのボタンを押した時の画面を示す図である。３６はポップアップメニューで、画像アイコン３３に対してできる２つの操作を示している。
【００１６】
図５は、図４において、ポップアップメニュー３６の「開く」を選んだ時の画面を示す図であり、図４で選んだアイコン３３が示す画像データが表示されている。同図において、表示画面上でポインティングデバイスのボタンを押すと図３の画面に戻る。
【００１７】
図６は、図４において、ポップアップメニュー３６の「キーワード」を選んだ時の画面を示す図である。３７はアイコン３３が示す画像データに付与されているキーワードの中から現在のキーワードである「２００１年６月２０日」を除いたものの一覧を表示するポップアップメニューである。
【００１８】
図７は、図６において、キーワードメニュー３７から「プライベート」と言うキーワードを選んだ時の画面を示す図である。同図において、タイトル３１は現在のキーワードである「プライベート」を表示している。また、スクロールボタン３５は「プライベート」をキーワードとして持つデータが一画面に表示できず、次の画面が存在することを示している。
【００１９】
図８は、図７において画像データを一つ選んでポップアップメニュー３６を表示し、さらにその中から「キーワード」を選んだ時の画面を示す図である。同図において、３７のキーワード一覧メニューは選ばれている画像データに付与されているキーワードの中から現在のキーワードである「プライベート」を除いたものの一覧を表示している。
【００２０】
図９は、図８においてキーワードメニュー３７から「建物」と言うキーワードを選んだ時の画面を示す図である。同図において、タイトル３１はキーワード「建物」を表示し、スクロールボタン３５は次の画面が存在することを示している。
【００２１】
図１０は、図３〜図９で説明した画面の切り替わりの処理を説明するフローチャートである。以下、本フローチャートの各ステップを説明する。
【００２２】
１．現在のキーワードをデータベース２に渡し、そのキーワードを持つデータエントリのリストを得る。初期状態においては現在のキーワードは空文字列で、その場合データベース２は格納されている全てのデータに対応するデータエントリのリストを返す（ステップＳ１）。
【００２３】
２．受取ったデータエントリのリストから各エントリのアイコンデータを参照し、それらを並べて画面に表示する（ステップＳ２）。
【００２４】
３．アイコンがポインタデバイスによって選択されるのを待つ（ステップＳ３）。
【００２５】
４．アイコンが示すデータに対する操作を選択するポップアップメニューを表示し、操作の選択を待つ（ステップＳ４）。
【００２６】
５．選択された操作を調べる。「開く」の場合はステップＳ６へ、「キーワード」の場合はステップＳ８へ（ステップＳ５）。
【００２７】
６．ステップＳ５において、操作が「開く」の場合、選択されたアイコンが示すデータを表示する（ステップＳ６）。
【００２８】
７．ポインティングデバイスのボタンが押されるのを待ち、押されたらステップＳ２に戻る（ステップＳ７）。
【００２９】
８．ステップＳ５において、操作が「キーワード」の場合、選択されたアイコンが示すデータに付与されたキーワードをデータエントリから得る（ステップＳ８）。
【００３０】
９．キーワードのリストからメニュー項目を生成（ステップＳ９）。
【００３１】
１０．キーワードメニューを表示する（ステップＳ１０）。
【００３２】
１１．キーワードの選択を待つ。選択が終ったらそのキーワードを現在のキーワードとしてステップＳ１に戻る（ステップＳ１１）。
【００３３】
（第２実施形態）
次に、本発明の第２実施形態を、図１１〜図１２を参照して説明する。
【００３４】
なお、本実施形態に係るデータ閲覧装置は、上記第１実施形態の図１に示した構成と同様の構成によって実現される。また、データの一覧表示や、その一覧の中から一つを選んで操作メニューを出す方法も第１実施形態の図３〜図４に示した画面と同様である。ただし、本実施形態では、第１実施形態とは異なり、キーワード選択メニューからキーワードを複数選択することができる。
【００３５】
図１１は、本実施形態に係るデータ閲覧装置において、図４の操作メニューから「キーワード」を選択してキーワードメニュー３７を表示させ、その中から複数のキーワードを選択した画面を示す図である。キーワードメニュー３７で背景が濃くなっている「画像」と「プライベート」のキーワードが現在選択されている。キーワードメニュー３７上でポインティングデバイスのボタンを押すと、その位置のキーワードが選択状態がトグルで切り替わる。
【００３６】
例えば、同図の状態で現在選択状態にある「画像」の上でボタンを押すと「画像」の選択は解除され、現在選択状態にない「伊豆旅行」の上でボタンを押すと「伊豆旅行」が新たに選択される。３８は表示切替えボタンで、それが押された時にキーワードメニュー３７の選択状態に応じて画面の切替えを行う。押された時にキーワードが１つ選択されている場合、次の画面ではそのキーワードを含むデータの一覧が表示される。キーワードが複数選択されている場合、次の画面ではそれらのキーワードを全て含むデータの一覧が表示される。また、キーワードがなにも選択されていない場合は、キーワードメニュー３７を閉じるだけで表示の切替えは行わない。
【００３７】
図１２は、図１１において表示切替えボタン３８を押した場合の画面を示す図であり、「画像」と「プライベート」の二つをキーワードとして持つデータのアイコンが表示されている。タイトル３２には図１１で選択されていたの二つのキーワードが並べて表示されていて、切替えボタン３８はキーワードメニュー３７が表示されていないために操作できないことを示すためグレーで表示されている。
【００３８】
また、選び出した複数のキーワードを用いて表示を切替える際、それらのキーワードを全て含む（ＡＮＤ）データではなく、最低いずれか一つを含む（ＯＲ）データの一覧を表示することも可能で、ＡＮＤかＯＲかは別に設ける設定画面で選択できるようになっている。
【００３９】
（第３実施形態）
次に、本発明の第３実施形態を、図１３〜図１４を参照して説明する。
【００４０】
なお、本実施形態に係るデータ閲覧装置は、上記第１実施形態の図１に示した構成と同様の構成によって実現される。第３実施形態に係るデータ閲覧装置では、第１実施形態の図３で示されるデータ一覧表示において、複数のデータを選択できることが第１実施形態とは異なる。
【００４１】
図１３は、本実施形態におけるデータ一覧表示において複数のデータを選択したところを示す図である。同図において、３３ａと３３ｂの二つが選択されており、そのことを示すためにこれら二つのアイコンの枠が他のものより太くなっている。３９は選択されたデータが１つの場合にそのデータを開く為のボタンで、現在複数のデータが選択されているために操作不可を示すグレー表示がされている。
【００４２】
４０は選択された複数のデータに共通するキーワード（現在表示に使用しているものを除く）から構成されるメニューを表示するためのボタンであり、共通のキーワードが現在表示に使用しているものを除き存在しない場合はグレー表示される。４１は選択された複数のデータに付与されているキーワード全て（現在表示に使用しているものを除く）から構成されるメニューを表示するためのボタンであり、双方のデータのキーワードが現在表示に使用しているものを除き存在しない場合はグレー表示される。４０、４１のボタンとも、選択データが無い場合にはグレー表示され、選択データが１つの場合には２つとも同じ動作をする。
【００４３】
図１４は、図１３において共通キーワードボタン４０が押された時の画面を示す図である。図３７は選択されている２つのデータに共通するキーワードからなるメニューである。ここで、どれかのキーワードを選択するとそのキーワードを持つデータの一覧画面に切り替わる。
【００４４】
【発明の効果】
本発明のデータ閲覧装置によれば、データをそれが持つ属性で分類して一覧表示でき、一覧表示の中からデータを選び、そのデータが持つ属性から現在データ一覧に使っていない属性を選び出して新しい一覧画面に切替えることができる。そのことにより、装置に格納されているデータをいわゆる連想ゲーム的に次々に表示することができ、データをユーザが望む方針に基づいて容易に閲覧してゆくことができる。
【図面の簡単な説明】
【図１】第１、第２、第３の実施形態に係るデータ閲覧装置の概略構成を示すブロック図である。
【図２】データベース３が返すデータエントリの構造を示す図である。
【図３】ＧＵＩ制御部４が表示したデータの一覧画面を示す図である。
【図４】図３において、画像アイコン３３の上でポインティングデバイスのボタンを押した時の画面を示す図である。
【図５】図４において、ポップアップメニュー３６の「開く」を選んだ時の画面を示す図である。
【図６】図４において、ポップアップメニュー３６の「キーワード」を選んだ時の画面を示す図である。
【図７】図６において、キーワードメニュー３７から「プライベート」と言うキーワードを選んだ時の画面を示す図である。
【図８】図７において画像データを一つ選んでポップアップメニュー３６を表示し、さらにその中から「キーワード」を選んだ時の画面を示す図である。
【図９】図８においてキーワードメニュー３７から「建物」と言うキーワードを選んだ時の画面を示す図である。
【図１０】図３〜図９で説明した画面の切り替わりの処理を説明するフローチャートである。
【図１１】第２実施形態に係るデータ閲覧装置において、図４の操作メニューから「キーワード」を選択してキーワードメニュー３７を表示させ、その中から複数のキーワードを選択した画面を示す図である。
【図１２】図１１において表示切替えボタン３８を押した場合の画面を示す図であり、「画像」と「プライベート」の二つをキーワードとして持つデータのアイコンが表示されている。
【図１３】第３実施形態におけるデータ一覧表示において複数のデータを選択したところを示す図である。
【図１４】図１３において共通キーワードボタン４０が押された時の画面を示す図である。図３７は選択されている２つのデータに共通するキーワードからなるメニューである。
【符号の説明】
１  装置の中心となり各部の制御を行う中央処理部
２  テキスト、画像、音声、動画など各種のデータを格納し管理するデータベース
３  データの一覧に表示しているデータのリスト
４  ユーザからの入力とユーザへの表示を行うＧＵＩ制御部
２１  テキスト、画像、音声、動画などのデータ本体への参照
２２  データ一覧に使うアイコンデータへの参照
２３  データに付与されているキーワードの数
２４  キーワードへの参照の配列
２５  データ本体
２６  アイコンデータ
２７  キーワード文字列の本体
３１  一覧のタイトル
３２  テキストデータを示すアイコン
３３  （ａ、ｂ）画像データを示すアイコン
３４  ポインティングデバイスのカーソル
３５  データの一覧が画面に入らなくなった時に画面を上下にスクロールするボタン
３６  ポップアップメニュー
３７  キーワードメニュー
３８  表示切替えボタン
３９  選択されたデータが１つの場合にそのデータを開く為のボタン
４０  選択された複数のデータに共通するキーワードから構成されるメニューを表示するためのボタン
４１  選択された複数のデータに付与されているキーワード全てから構成されるメニューを表示するためのボタン
【図１】
2004185340.tif 000003
【図２】
2004185340.tif 000004
【図３】
2004185340.tif 000005
【図４】
2004185340.tif 000006
【図５】
2004185340.tif 000007
【図６】
2004185340.tif 000008
【図７】
2004185340.tif 000009
【図８】
2004185340.tif 000010
【図９】
2004185340.tif 000011
【図１０】
2004185340.tif 000012
【図１１】
2004185340.tif 000013
【図１２】
2004185340.tif 000014
【図１３】
2004185340.tif 000015
【図１４】
2004185340.tif 000016